(57)【要約】【課題】携帯電話やパーソナルコンピュータのＯＳの違いに左右されず、簡単に名刺情報を管理することが可能な名刺情報提供システムを提供する。【解決手段】名刺８に印刷された２次元コード８１の読み取り手段が内蔵された携帯電話１と、データベース４を有するサーバー３とが通信ネットワーク５を介して相互に通信可能に接続され、サーバーが２次元コードに関連付けられた配布側WebページのURL情報を送信する名刺情報提供システムＳである。  そして、データベースには、携帯電話固有の機体番号とユーザーのパソコン６用のPCメールアドレスとが関連付けられたユーザー登録データ４１と、名刺を特定する名刺特定データ４２とが格納されており、このデータベースから配布側WebページのURL情報とPCメールアドレスとを取り出し、配布側WebページのURL情報をPCメールアドレスにメール送信する。【選択図】図１
2009064371.tif 000002
【特許請求の範囲】
【請求項１】
名刺に印刷された２次元コードを読み取る読み取り手段が内蔵されたユーザーの携帯通信端末と、データベースを有するサーバーとが通信ネットワークを介して相互に通信可能に接続され、前記サーバーが前記２次元コードに関連付けられたWebページのURL(Uniform Resource Locator)情報を送信する名刺情報提供システムであって、
前記データベースには、前記携帯通信端末固有の機体番号と、前記ユーザーのパーソナルコンピュータ用のPCメールアドレスとが関連付けられてテーブル化されたユーザー登録データと、前記名刺を特定する名刺特定データとが格納されており、
前記サーバーは、前記携帯通信端末から送信された前記２次元コードに基づく情報から前記名刺特定データを抽出するための識別コードを抽出する識別コード抽出手段と、その抽出された識別コードをキーとして前記名刺特定データを検索して、前記名刺を配布した側の配布側WebページのURL情報を取り出すとともに、前記携帯通信端末から送られた前記機体番号をキーとして前記ユーザー登録データを検索して、前記ユーザーの前記PCメールアドレスを取り出す検索手段と、前記配布側WebページのURL情報を、前記PCメールアドレスにメール送信するメール送信手段とを備えたうえに、
前記機体番号と関連付けられたパーソナルコンピュータ用のPCメールアドレスが存在しない場合には、PCメールアドレスの新規登録を促す信号を前記携帯通信端末に送信し、前記携帯通信端末からPCメールアドレスが入力されて送信されると、それを受信して前記機体番号と関連付けて前記データベース内の前記ユーザー登録データに登録するPCメールアドレス登録手段を備えたことを特徴とする名刺情報提供システム。
【請求項２】
名刺に印刷された２次元コードを読み取る読み取り手段が内蔵されたユーザーの携帯通信端末と、データベースを有するサーバーとが通信ネットワークを介して相互に通信可能に接続され、前記サーバーが前記２次元コードに関連付けられたWebページのURL(Uniform Resource Locator)情報を送信する名刺情報提供システムであって、
前記データベースには、前記携帯通信端末用の携帯メールアドレスと、前記ユーザーのパーソナルコンピュータ用のPCメールアドレスとが関連付けられてテーブル化されたユーザー登録データと、前記名刺を特定する名刺特定データとが格納されており、
前記サーバーは、前記携帯通信端末から送信された前記２次元コードに基づく情報から前記名刺特定データを抽出するための識別コードを抽出する識別コード抽出手段と、その抽出された識別コードをキーとして前記名刺特定データを検索して、前記名刺を配布した側の配布側WebページのURL情報を取り出すとともに、前記携帯通信端末から送られた前記携帯メールアドレスをキーとして前記ユーザー登録データを検索して、前記ユーザーの前記PCメールアドレスを取り出す検索手段と、前記配布側WebページのURL情報を、前記PCメールアドレスにメール送信するメール送信手段とを備えたうえに、
前記携帯メールアドレスと関連付けられたパーソナルコンピュータ用のPCメールアドレスが存在しない場合には、PCメールアドレスの新規登録を促す信号を前記携帯通信端末に送信し、前記携帯端末からPCメールアドレスが入力されて送信されると、それを受信して前記携帯メールアドレスと関連付けて前記データベース内の前記ユーザー登録データに登録するPCメールアドレス登録手段を備えたことを特徴とする名刺情報提供システム。
【請求項３】
前記サーバーは、前記配布側Webページに前記名刺を配布する側の属性情報である名刺情報を書き込むとともに、記憶手段に記憶させるための配布側Webページ手段を備えていることを特徴とする請求項１又は２に記載の名刺情報提供システム。
【請求項４】
前記サーバーは、前記配布側WebページのURL情報を前記ユーザー専用のユーザーWebページに書き込むとともに、記憶手段に記憶させるためのユーザーWebページ手段を備え、
前記メール送信手段は、前記配布側WebページのURL情報と一緒に前記ユーザーWebページのURL情報を前記PCメールアドレスにメール送信することを特徴とする請求項１乃至３のいずれか一項に記載の名刺情報提供システム。
【請求項５】
前記配布側Webページ手段は、前記名刺情報に基づいたサムネイル画像を生成するサムネイル画像部を備えていることを特徴とする請求項３に記載の名刺情報提供システム。
【請求項６】
前記ユーザーWebページ手段は、前記配布側Webページの前記サムネイル画像を抽出して表示させることを特徴とする請求項５に記載の名刺情報提供システム。
【請求項７】
前記ユーザーWebページ手段は、前記配布側Webページの前記サムネイル画像を抽出して表示させた後に、前記配布側Webページの前記サムネイル画像が更新された場合は前記ユーザーWebページの表示を更新し、前記配布側Webページが削除された場合は、その削除された配布側Webページのサムネイル画像を、削除されていないものとは異なる表示形態で表示させることを特徴とする請求項６に記載の名刺情報提供システム。
【請求項８】
前記サーバーは、前記配布側WebページのURL情報をメール送信した回数をカウントする送信数カウント手段を備えていることを特徴とする請求項１乃至７のいずれか一項に記載の名刺情報提供システム。
【請求項９】
前記サーバーは、前記PCメールアドレスにメール送信された前記配布側WebページのURL情報をクリックして前記配布側Webページにアクセスされた回数をカウントするアクセス数カウント手段を備えていることを特徴とする請求項１乃至８のいずれか一項に記載の名刺情報提供システム。
【請求項１０】
前記２次元コードがＱＲコードであることを特徴とする請求項１乃至９のいずれか一項に記載の名刺情報提供システム。
【発明の詳細な説明】
【技術分野】
【０００１】
本発明は、名刺に印刷された２次元コードを携帯通信端末で読み取り、その２次元コードに関連付けられた名刺情報が記載されたWebページのURL情報を自動的に送信することが可能な名刺情報提供システムに関するものである。
【背景技術】
【０００２】
近年、名刺管理ツールのデジタル化が進んでおり、その典型的な手段として、表計算ソフトや住所録ソフトを利用した従来の手打ち作業と、OCR（光学式文字読取り装置）を利用したものとがある。しかし、これらのツールは、いずれも入力ミスや読み間違いといった入力エラーが発生しやすく、名刺管理の煩雑さは解消されていない。
【０００３】
他方、このような入力エラーが生じやすい属性情報の入力を不要とし、ユーザーが名刺に記載された属性情報を簡単に入手・管理できることが可能な名刺情報提供サービスが提案されている（特許文献１，２参照）。
【０００４】
例えば、特許文献１には、名刺に２次元コードを印刷しておき、ユーザーがカメラ付携帯電話機のカメラで２次元コードを読み取ると、会社名、名前、住所などの情報が携帯電話のモニタ画面に表示され、必要に応じた内容を携帯電話の記憶装置に記録する構成が開示されている。
【特許文献１】特開２００５−１２８８８２号公報
【特許文献２】特開２００２−２６８９７３号公報
【発明の開示】
【発明が解決しようとする課題】
【０００５】
しかしながら、名刺情報において、携帯電話で利用されるものは、氏名と電話番号程度で、部署名やFAX、ホームページ情報などはあまり必要とされていない。そのような詳細な名刺情報は、パーソナルコンピュータでの利用が望まれる。
【０００６】
他方、特許文献２には、パーソナルコンピュータで名刺の２次元コードを読み込むシステムが開示されているが、このシステムでは、外出先で名刺を受け取った際に直ぐに２次元コードを読み込ませることができないので、入力するまでに時間がかかる、入力をし忘れるなどの事態が起き易い。
【０００７】
そのうえ、特許文献１のように転送を直接行うソフトウェアを組み込むためには、携帯電話システムを運営する事業者ごとに適合するOS(Operating System)を用いたソフトウェアを開発する必要があり、開発コストが事業者の数だけ増えることになる。
【０００８】
そこで、本発明は、携帯電話やパーソナルコンピュータのＯＳの違いに左右されず、簡単に名刺情報を管理することが可能な名刺情報提供システムを提供することを目的としている。
【課題を解決するための手段】
【０００９】
前記目的を達成するために、本発明の名刺情報提供システムは、名刺に印刷された２次元コードを読み取る読み取り手段が内蔵されたユーザーの携帯通信端末と、データベースを有するサーバーとが通信ネットワークを介して相互に通信可能に接続され、前記サーバーが前記２次元コードに関連付けられたWebページのURL(Uniform Resource Locator)情報を送信する名刺情報提供システムであって、前記データベースには、前記携帯通信端末固有の機体番号又は携帯メールアドレスと、前記ユーザーのパーソナルコンピュータ用のPCメールアドレスとが関連付けられてテーブル化されたユーザー登録データと、前記名刺を特定する名刺特定データとが格納されており、前記サーバーは、前記携帯通信端末から送信された前記２次元コードに基づく情報から前記名刺特定データを抽出するための識別コードを抽出する識別コード抽出手段と、その抽出された識別コードをキーとして前記名刺特定データを検索して、前記名刺を配布した側の配布側WebページのURL情報を取り出すとともに、前記携帯通信端末から送られた前記機体番号又は前記携帯メールアドレスをキーとして前記ユーザー登録データを検索して、前記ユーザーの前記PCメールアドレスを取り出す検索手段と、前記配布側WebページのURL情報を、前記PCメールアドレスにメール送信するメール送信手段とを備えたうえに、前記機体番号又は前記携帯メールアドレスと関連付けられたパーソナルコンピュータ用のPCメールアドレスが存在しない場合には、PCメールアドレスの新規登録を促す信号を前記携帯通信端末に送信し、前記携帯通信端末からPCメールアドレスが入力されて送信されると、それを受信して前記機体番号又は前記携帯メールアドレスと関連付けて前記データベース内の前記ユーザー登録データに登録するPCメールアドレス登録手段を備えたことを特徴とする。
【００１０】
ここで、前記サーバーは、前記配布側Webページに前記名刺を配布する側の属性情報である名刺情報を書き込むとともに、記憶手段に記憶させるための配布側Webページ手段を備えている構成とすることができる。
【００１１】
また、前記サーバーは、前記配布側WebページのURL情報を前記ユーザー専用のユーザーWebページに書き込むとともに、記憶手段に記憶させるためのユーザーWebページ手段を備え、前記メール送信手段は、前記配布側WebページのURL情報と一緒に前記ユーザーWebページのURL情報を前記PCメールアドレスにメール送信するものであってもよい。
【００１２】
さらに、前記配布側Webページ手段は、前記名刺情報に基づいたサムネイル画像を生成するサムネイル画像部を備えていることが好ましい。
【００１３】
また、前記ユーザーWebページ手段は、前記配布側Webページの前記サムネイル画像を抽出して表示させることができる。
【００１４】
さらに、前記ユーザーWebページ手段は、前記配布側Webページの前記サムネイル画像を抽出して表示させた後に、前記配布側Webページの前記サムネイル画像が更新された場合は前記ユーザーWebページの表示を更新し、前記配布側Webページが削除された場合は、その削除された配布側Webページのサムネイル画像を、削除されていないものとは異なる表示形態で表示させる構成であってもよい。
【００１５】
また、前記サーバーは、前記配布側WebページのURL情報をメール送信した回数をカウントする送信数カウント手段を備えた構成とすることができる。
【００１６】
さらに、前記サーバーは、前記PCメールアドレスにメール送信された前記配布側WebページのURL情報をクリックして前記配布側Webページにアクセスされた回数をカウントするアクセス数カウント手段を備えた構成とすることもできる。
【００１７】
そして、前記２次元コードは、ＱＲコードであることが好ましい。
【発明の効果】
【００１８】
このように構成された本発明の名刺情報提供システムでは、名刺に印刷された２次元コードが携帯通信端末で読み込まれ、サーバーにアクセスされると、携帯通信端末の機体番号又は携帯メールアドレスと関連付けられたPCメールアドレスに、名刺情報が掲載されたWebページのURL情報が送信される。
【００１９】
このため、ユーザーは、名刺情報を管理する専用のソフトウェアを携帯通信端末やパーソナルコンピュータに備えていなくても、簡単な操作で名刺を配布した人の属性情報である名刺情報を、パーソナルコンピュータで閲覧し、管理することができる。
【００２０】
また、携帯通信端末やパーソナルコンピュータのOSに左右されないシステムであれば、利用者に対する制限が少なく、急速に普及する可能性が高い。さらに、配布側及びユーザー側の利用者が増えることで、ますます使い勝手の良いシステムにすることができる。
【００２１】
また、名刺を配布する側の配布側Webページを、サーバーの配布側Webページ手段で制御することで、ユーザーが閲覧する配布側Webページの書式を統一したり、アクセス数を管理したりすることができる。
【００２２】
さらに、ユーザー専用のユーザーWebページを制御するユーザーWebページ手段を設けることで、ユーザーが複数の名刺を管理することが容易にできるようになる。
【００２３】
また、配布側Webページ手段に、名刺情報に基づいたサムネイル画像を生成するサムネイル画像部を設けることで、ユーザーは名刺と同様のイメージで複数の名刺情報を容易に閲覧することができる。
【００２４】
さらに、ユーザーWebページ手段において、一旦読み込まれた後に配布側で更新されたり削除されたりした配布側Webページのサムネイル画像を、更新したり他の有効なサムネイル画像の表示とは異なる表示形態で表示させたりすることで、最新の名刺情報の利用が可能になるうえに、無効になった名刺情報の利用を防ぐことができる。
【００２５】
また、配布側WebページのURL情報をメール送信した回数をカウントする送信数カウント手段や、メール送信された配布側WebページのURL情報からアクセスされた回数をカウントするアクセス数カウント手段を設けることで、名刺情報提供システムの利用頻度を容易に把握することができる。
【００２６】
さらに、２次元コードがＱＲコードであれば、多くの情報を２次元コードに記録することができる。
【発明を実施するための最良の形態】
【００２７】
以下、本発明の最良の実施の形態について図面を参照して説明する。
【００２８】
図１は、本実施の形態による名刺情報提供システムＳの概略構成を示している。
【００２９】
まず、構成から説明すると、このような本実施の形態の名刺情報提供システムＳは、システムの制御をおこなうサーバー３と、データベース４とを備えている。
【００３０】
このサーバー３は、インターネットなどの通信ネットワーク５を介して、携帯通信端末としての携帯電話１と、名刺８を受け取るユーザー側のパーソナルコンピュータとしてのパソコン６と、名刺８を配布する側のパーソナルコンピュータとしての配布側パソコン７と接続されている。
【００３１】
この携帯電話１には、名刺８に印刷された２次元コード８１の読み取り手段としてのＣＣＤ(Charge Coupled Device)カメラ（図示せず）が内蔵されている。この２次元コード８１は、文字や数字などの情報が二次元の図形パターンとして紙面に印刷されたもので、種々の規格があるが、現在ではＱＲコードが広く普及している。
【００３２】
また、この携帯電話１には、ＣＣＤカメラで撮影された２次元コード８１の画像を解析して、その２次元コード８１に記載された情報を取り出す解析ソフトウェアが組み込まれている。
【００３３】
さらに、携帯電話１は、携帯電話通信システム２を介して通信ネットワーク５に接続されている。この携帯電話通信システム２とは、アンテナや基地局と同様に携帯電話事業者毎に設置される接続サーバーによって構成されている。
【００３４】
また、パソコン６は、携帯電話１のユーザーが使用するコンピュータであり、携帯電話１によって取り込まれた２次元コード８１の情報に基づいて、名刺８を配布した人の名刺情報が閲覧可能なWebページのURL(Uniform Resource Locator)情報が、このパソコン６用の電子メールのアドレスであるPCメールアドレスに送信される。
【００３５】
他方、配布側パソコン７は、名刺８を配布する人が使用するコンピュータであり、配布側はこの配布側パソコン７を使ってサーバー３にアクセスしたり、名刺８を作成したりする。ここで、名刺８には、通常の名刺と同様に、氏名、会社名、所属部署、電話番号、電子メールアドレスなどの名刺情報が名刺情報印字部８２に印刷されるとともに、２次元コード８１が印刷されている。
【００３６】
続いて、図２のブロック図を参照しながらサーバー３の構成について説明する。
【００３７】
このサーバー３は、制御手段３０と、識別コード抽出手段３１と、検索手段３２と、配布側Webページの作成・更新・記憶などを制御する配布側Webページ手段３３と、ユーザーWebページの作成・更新・記憶などを制御するユーザーWebページ手段３４と、記憶手段３５と、メール送信手段としてのメール送受信手段３６と、通信ネットワーク５への接続をおこなう通信手段３７と、PCメールアドレス登録手段３８と、カウント手段３９とから主に構成されている。
【００３８】
この制御手段３０は、ＣＰＵ(Central Processing Unit)、ＲＡＭ(Random Access Memory)、ＲＯＭ(Read Only Memory)などで構成されており、各手段３１−３９及び後述するデータベース４を、組み込まれたプログラムによって制御する。
【００３９】
また、識別コード抽出手段３１は、携帯電話１から送信された２次元コード８１に基づく情報から、配布された名刺８を特定するための識別コードを抽出する手段である。
【００４０】
すなわち、名刺８に印刷された２次元コード８１には、配布された名刺８を特定するための識別コードが情報として記録されており、サーバー３に送信された情報の中からこの識別コードを抽出する。
【００４１】
また、検索手段３２は、識別コード抽出手段３１によって抽出された識別コードをキーとして、後述するデータベース４の名刺特定データ４２内を検索し、名刺情報が掲載された配布側WebページのURL情報を取り出す。
【００４２】
さらに、検索手段３２では、携帯電話１から送られた機体番号又は携帯メールアドレスをキーとして、後述するデータベース４のユーザー登録データ４１内を検索し、携帯電話１の利用者である名刺８を受け取ったユーザーのパソコン６用のPCメールアドレスを取り出す。
【００４３】
ここで、携帯電話１の機体番号とは、携帯電話１の本体の製造番号や着脱自在のＩＣカードなど、携帯電話１の識別に使用される識別符号をいう。また、携帯メールアドレスとは、携帯電話１で受信するように設定されている電子メールアドレスをいう。
【００４４】
また、メール送受信手段３６では、検索手段３２で取り出されたWebページのURL情報を記載した電子メールを作成してPCメールアドレスにメール送信したり、携帯電話１などから送信された電子メールを受信したりする制御をおこなう。
【００４５】
一方、ユーザーが名刺情報提供システムＳを初めて利用した場合は、機体番号又は携帯メールアドレスと関連付けられたPCメールアドレスが、データベース４のユーザー登録データ４１内に存在しない。
【００４６】
そこで、PCメールアドレス登録手段３８では、PCメールアドレスの新規登録を促す信号を携帯電話１に送信し、携帯電話１からPCメールアドレスが入力されて送信されると、それを受信してユーザーの機体番号又は携帯メールアドレスと関連付けてユーザー登録データ４１内に登録する。
【００４７】
また、記憶手段３５には、携帯電話１から送信された機体番号、携帯メールアドレス、抽出された識別コード等を一時的に記憶したり、配布側Webページ手段３３やユーザーWebページ手段３４で作成されたWebページを記憶させたりする。この記憶手段３５は、ＲＡＭやＨＤＤ（ハードディスクドライブ）などで構成できる。また、外部記録媒体（図示せず）を利用することもできる。
【００４８】
さらに、カウント手段３９には、配布側WebページのURL情報をメール送信した回数をカウントする送信数カウント手段と、PCメールアドレスにメール送信された配布側WebページのURL情報から配布側Webページにアクセスされた回数をカウントするアクセス数カウント手段とが設けられている。
【００４９】
すなわち、この送信数カウント手段では、名刺８を受け取った相手（ユーザー）が、２次元コード８１を携帯電話１で読み込んでパソコン６のPCメールアドレスに送信した回数がカウントされるので、名刺８を配布した側は、名刺８に印刷された２次元コード８１が活用された頻度を知ることができる。
【００５０】
また、アクセス数カウント手段では、パソコン６にメール送信されたURL情報から配布側Webページにアクセスした回数がカウントされるので、名刺８を配布した側は、自分の名刺情報に関心を示してパソコン６で閲覧したユーザーがどれくらいいるのかを知ることができる。
【００５１】
このように構成されたサーバー３に接続されるデータベース４には、ユーザー登録データ４１と、名刺特定データ４２とが格納されている。
【００５２】
このユーザー登録データ４１は、図３に示すように、ユーザーＩＤと、携帯電話１固有の機体番号又は携帯電話１の携帯メールアドレスと、ユーザーのパソコン６で受信するPCメールアドレスとが関連付けられてテーブル化されたデータベースである。
【００５３】
また、名刺特定データ４２は、図４に示すように、識別コードと、名刺情報が掲載された配布側WebページのURL情報と、名刺情報の概要とが関連付けられてテーブル化されたデータベースである。
【００５４】
次に、名刺８を配布する側が、会社名、住所、電話番号などの属性情報である名刺情報を登録する手順について、図５，６を参照しながら説明する。
【００５５】
まず、名刺８を配布する側は、配布側パソコン７から通信ネットワーク５を介してサーバー３にアクセスし、サーバー３の配布側Webページ手段３３によって制御される名刺情報登録サイトにアクセスする。
【００５６】
そして、氏名、電子メールアドレスなどの基本情報を入力して、名刺登録者として会員登録をする（ステップＳＨ１）。
【００５７】
これに対してサーバー３の配布側Webページ手段３３は、名刺登録ＩＤとパスワードを発行して、名刺登録者の電子メールアドレスにメール送信する（ステップＳＨ２）。
【００５８】
続いて名刺登録者は、発行された名刺登録ＩＤとパスワードを使って、名刺情報登録サイトのデータ登録画面へ移動する（ステップＳＨ３）。
【００５９】
ここからは、名刺情報の原稿の有無によって登録方法が異なる（ステップＳＨ４）。
【００６０】
まず、原稿が無い場合は、図６（Ａ）に示すような名刺情報の入力画面（入力前は右列は空欄）に対して、登録したい名刺情報を配布側パソコン７のキーボードから入力していく（ステップＳＨ５）。
【００６１】
図６（Ａ）には、Ｃ１−Ｃ１３の項目が例示されており、それぞれ名刺登録者の氏名、会社名、住所、役職、部署、電話番号（TEL）、ＦＡＸ番号（FAX）、PCメールアドレス（e-mail）、会社のホームページのURL情報（URL）、携帯電話の電話番号（ケータイ）、携帯メールアドレス（ケータイmail）、名刺登録者の顔写真などの画像データ（画像）、その他の開示したい事項（etc）が入力できるようになっている。
【００６２】
そして、このようにして入力された名刺情報の中からいくつかの情報が抽出されて、図６（Ｂ）に示すような名刺のサムネイル画像用表示がされ、それに基づいて名刺登録者のサムネイル画像がサムネイル画像部（図示せず）で生成される（ステップＳＨ６）。
【００６３】
すなわち、入力された名刺情報は表形式で表示されているが、その中から部署Ｃ５、氏名Ｃ１、会社名Ｃ２、e-mailＣ８、TELＣ６の情報を抽出して、例えば通常配布される名刺のような書式で配列して表示させる。
【００６４】
他方、原稿がある場合は、その原稿が電子データであるか、紙に印刷された名刺などのような電子データ以外のものであるかによって、名刺情報の入力方式が異なる（ステップＳＨ７）。
【００６５】
例えば、原稿がテキスト情報を有する電子データであれば、そのままその電子データを取り込んで（ステップＳＨ８）、名刺情報欄へのデータの移行をおこない、サムネイル画像を作成する（ステップＳＨ６）。
【００６６】
また、原稿が電子データでなければ、配布側パソコン７に接続されたスキャナなどから原稿の印字情報を取り込ませ（ステップＳＨ９）、サーバー３に送信されたイメージデータを、配布側Webページ手段３３において文字データに変換させて（ステップＳＨ１０）、名刺情報欄へのデータの移行をおこない、サムネイル画像を作成する（ステップＳＨ６）。
【００６７】
上述したいずれかの方法でサムネイル画像を作成した後に、そのサムネイル画像に表示された内容を確認し（ステップＳＨ１１）、記載内容が正しければ、続いてＱＲコードなどの２次元コード８１を作成する（ステップＳＨ１２）。
【００６８】
このようにして作成された２次元コード８１は、配布側パソコン７にそのデータをダウンロードして、配布側パソコン７に接続されたプリンターで名刺形状の紙やシール等に印刷することができる。
【００６９】
また、名刺登録者は、配布側Webページ手段３３によって制御される名刺情報登録サイトから名刺印刷会社に発注し、２次元コード８１と所望する名刺情報が名刺情報印字部８２に印刷された名刺８を郵送などで受け取ることもできる。
【００７０】
次に、このようにして作成された名刺８を名刺登録者が配布し、ユーザーがその名刺８を受け取った後の処理の流れについて、図７−１１を参照しながら説明する。
【００７１】
ここで、２次元コード８１に記録されるデータ形式には、サーバー３のURL情報が含まれているものと、サーバー３の電子メールアドレスが含まれているものとがあり、データ形式の違いによって処理の流れが異なるので、図７−９を参照しながらサーバー３のURL情報が含まれている場合について説明し、図１０，１１を参照しながらサーバー３の電子メールアドレスが含まれている場合について説明する。
【００７２】
また、携帯電話１の識別方法も、機体番号をキーとする場合と、携帯メールアドレスをキーとする場合とがあるので、図７−９を参照しながら機体番号をキーとする場合について説明し、図１０，１１を参照しながら携帯メールアドレスをキーとする場合について説明する。
【００７３】
まず、図７−９を参照しながら、サーバー３にインターネット経由でアクセスし、機体番号によって携帯電話１を識別する場合の処理の流れについて説明する。
【００７４】
図１に示すように、２次元コード８１が印刷された名刺８を受け取ったユーザーは、自分の携帯電話１のＣＣＤカメラで２次元コード８１を撮影し、２次元コード８１のコード解析をおこなわせる（ステップＳ１）。
【００７５】
すると、２次元コード８１の中から図８の左側に示したようなサーバー３のURL情報が抽出され、携帯電話１のモニタ画面に反転表示され、その部分をクリックすると、図８の中央に示すように接続の許可を求める表示となり、接続が許可されるとインターネットを経由してサーバー３にアクセスされる（ステップＳ２）。
【００７６】
そして、このような携帯電話１からのアクセスを受けたサーバー３は、携帯電話１に対してその機体番号を要求する（ステップＳ３）。例えば、サーバー３は、図９（Ａ）に示すようなメッセージを携帯電話１に送信して、モニタ画面に表示させる。続いて、図９（Ｂ）に示すように、携帯電話１の機体番号をサーバー３に送信してよいかどうかの許可が求められ、「はい」を選択することによって機体番号の送信が承認される（ステップＳ４）。
【００７７】
このようにして携帯電話１の機体番号を取得したサーバー３は、検索手段３２によって、取得した機体番号に関連付けられたPCメールアドレスをユーザー登録データ４１内で検索して抽出する（ステップＳ５）。
【００７８】
ここで、携帯電話１の機体番号に関連付けられたPCメールアドレスが既に登録されていれば、ステップＳ１０に処理が移行する。
【００７９】
他方、携帯電話１の機体番号に関連付けられたPCメールアドレスが存在しない場合は、図９（Ｃ）に示すように、PCメールアドレスの登録を促すメッセージを携帯電話１のモニタ画面に表示させる（ステップＳ６）。
【００８０】
そこで、ユーザーは、登録したいPCメールアドレスをアドレス入力欄に入力し、図９（Ｄ）及び図９（Ｅ）に示すようなメッセージに従ってPCメールアドレスをサーバー３に送信する（ステップＳ７）。
【００８１】
また、PCメールアドレスを受信したサーバー３は、PCメールアドレス登録手段３８において、ユーザーＩＤ（例えば「ppppp」）と機体番号（例えば「pwg123456」）とに関連付けて、PCメールアドレス（例えば「△××△＠○○.gr.jp」）をユーザー登録データ４１に登録する（ステップＳ８、図３参照）。
【００８２】
さらに、サーバー３は、ユーザーWebページ手段３４によって、ユーザー専用のユーザーWebページを作成し、記憶手段３５に記憶させる（ステップＳ９）。
【００８３】
このようなPCメールアドレスを登録する操作は、ユーザーが初めて名刺情報提供システムＳを利用するときにだけおこなえばよい。
【００８４】
このようにして携帯電話１から送信された機体番号に基づいて送信先のPCメールアドレスを特定すると、続いて、携帯電話１から送信されたURL情報から識別コード抽出手段３１によって識別コードを抽出する（ステップＳ１０）。
【００８５】
例えば、図８の左図に示したURL情報「http://qten.jp/qr?u=u01-000001」のうち、「000001」の部分が識別コードを表す情報であり、この部分を識別コードとして抽出する。
【００８６】
そして、検索手段３２によって、図４に示すような名刺特定データ４２の中から、識別コード「000001」に関連付けられた配布側WebページのURL情報「http://qten.jp/r?u=000001&i=170」を抽出する（ステップＳ１１）。
【００８７】
このようにして抽出された配布側WebページのURL情報「http://qten.jp/r?u=000001&i=170」は、ユーザーWebページ手段３４よってユーザーWebページに書き込まれて更新される（ステップＳ１２）。
【００８８】
また、抽出された配布側WebページのURL情報「http://qten.jp/r?u=000001&i=170」と、更新されたユーザーWebページのURL情報とが、ステップＳ５又はステップＳ８で特定されたPCメールアドレスにメール送信される（ステップＳ１３）。
【００８９】
次に、図１０，１１を参照しながら、サーバー３に電子メールを送信して、携帯メールアドレスによって携帯電話１を識別する場合の処理の流れについて説明する。
【００９０】
図１に示すように、２次元コード８１が印刷された名刺８を受け取ったユーザーは、自分の携帯電話１のＣＣＤカメラで２次元コード８１を撮影し、２次元コード８１のコード解析をおこなわせる（ステップＳ２１）。
【００９１】
すると、２次元コード８１の中から図１１の左側に示したように、サーバー３の電子メールアドレス「info@qten.jp」と、名刺を特定する識別コード「000001」が抽出され、図１１の中央に示すように、送信先「info@qten.jp」、タイトル「URL Transfer」、メール本文「000001」という送信メールが作成されて待機状態になる（ステップＳ２２）。
【００９２】
そして、図１１の中央の「送信」ボタンをクリックするとメール送信がおこなわれる（ステップＳ２３）。
【００９３】
一方、携帯電話１からのメールを受信したサーバー３は、送信元である携帯電話１の携帯メールアドレスをキーとして、検索手段３２によって、その携帯メールアドレスに関連付けられたPCメールアドレスをユーザー登録データ４１内で検索して抽出する（ステップＳ２４）。
【００９４】
ここで、携帯電話１の携帯メールアドレスに関連付けられたPCメールアドレスが既に登録されていれば、ステップＳ２９に処理が移行する。
【００９５】
他方、携帯電話１の携帯メールアドレスに関連付けられたPCメールアドレスが存在しない場合は、図９（Ｃ）に示すように、PCメールアドレスの登録を促すメッセージを携帯電話１のモニタ画面に表示させる（ステップＳ２５）。
【００９６】
そこで、ユーザーは、登録したいPCメールアドレスを入力し、図９（Ｄ）及び図９（Ｅ）に示すようなメッセージに従ってPCメールアドレスを送信する（ステップＳ２６）。
【００９７】
また、PCメールアドレスを受信したサーバー３は、PCメールアドレス登録手段３８において、ユーザーＩＤ（例えば「mmmmm」）と携帯メールアドレス（例えば「○○○＠△△.ne.jp」）とに関連付けて、PCメールアドレス（例えば「○○△△＠××.co.jp」）をユーザー登録データ４１に登録する（ステップＳ２７、図３参照）。
【００９８】
さらに、サーバー３は、ユーザーWebページ手段３４によって、ユーザー専用のユーザーWebページを作成し、記憶手段３５に記憶させる（ステップＳ２８）。
【００９９】
このようにして携帯電話１の携帯メールアドレスに基づいて送信先のPCメールアドレスが特定されると、続いて、携帯電話１から送信されたメールから識別コード抽出手段３１によって識別コードを抽出する（ステップＳ２９）。
【０１００】
例えば、図１１に示すように、送信されたメール本文には、識別コード「000001」が記載されており、この部分を識別コードとして抽出する。
【０１０１】
そして、検索手段３２によって、図４に示すような名刺特定データ４２の中から、識別コード「000001」に関連付けられた配布側WebページのURL情報「http://qten.jp/r?u=000001&i=170」を抽出する（ステップＳ３０）。
【０１０２】
このようにして抽出された配布側WebページのURL情報「http://qten.jp/r?u=000001&i=170」は、ユーザーWebページ手段３４によってユーザーWebページに書き込まれて更新される（ステップＳ３１）。
【０１０３】
また、抽出された配布側WebページのURL情報「http://qten.jp/r?u=000001&i=170」と、更新されたユーザーWebページのURL情報とが、ステップＳ２４又はステップＳ２７で特定されたPCメールアドレスにメール送信される（ステップＳ３２）。
【０１０４】
次に、ユーザーのパソコン６にサーバー３から送信されるメールについて、図１２を参照しながら説明する。
【０１０５】
このメールには、ユーザーＩＤ「mmmmm」が表示されるとともに、名刺８を配布した人の名刺情報のみが掲載された配布側WebページのURL情報「http://qten.jp/r?u=000001&i=170」と、ユーザー専用のブックマークサイトのURL情報「http://qten.jp/bookmark/×××mmmmm×××」とが記載されている。
【０１０６】
これらのURL情報が記載された部分をクリックすると、ブラウザが立ち上がり、閲覧したいWebページが表示される。
【０１０７】
例えば、配布側WebページのURL情報「http://qten.jp/r?u=000001&i=170」をクリックすると、図６（Ｂ）に示すように、名刺８を配布した人の名刺情報のみが掲載された配布側Webページが閲覧できるようになる。なお、ユーザーに開示する名刺情報として、図６（Ａ）に示すような詳細な名刺情報を開示することもできる。
【０１０８】
そして、配布側Webページに表示されたメールアドレス、電話番号、URL情報などをクリックすると、メールソフト、IP電話、ブラウザなどのそれぞれ目的とするアプリケーションが立ち上がって、名刺登録者に連絡したり、必要な情報を収集したりすることができるようになる。
【０１０９】
また、ユーザー専用のブックマークサイトのURL情報「http://qten.jp/bookmark/×××mmmmm×××」をクリックすると、セキュリティのためのユーザーＩＤとパスワードの入力を要求する画面（図示せず）が表示され、認証完了後に、図１３に示すようなユーザー専用のブックマークサイトのユーザーWebページが閲覧できるようになる。
【０１１０】
このブックマークサイトのユーザーWebページには、それまでにユーザーが受け取って２次元コード８１を読み込ませた名刺８が、サムネイル画像Ｐ１−Ｐ８の一覧形式で表示される。
【０１１１】
この中で、サムネイル画像Ｐ１，Ｐ２，Ｐ３，Ｐ４，Ｐ５，Ｐ７，Ｐ８は、現在もサーバー３に登録されている名刺登録者の名刺情報のサムネイル画像である。これらの画像は、名刺登録者が転勤や転職などによって名刺情報を更新すると、ユーザーWebページを更新する際に逐次更新されていく。このため、ユーザーは常に配布側の最新の名刺情報を入手することができる。
【０１１２】
さらに、サムネイル画像Ｐ１，Ｐ２，Ｐ３，Ｐ４，Ｐ５，Ｐ７，Ｐ８をクリックすると、それぞれの名刺登録者の配布側Webページに移行することができる。
【０１１３】
また、他のサムネイル画像とは異なるグレーで表示されたサムネイル画像Ｐ６は、サーバー３から登録が削除された名刺登録者のサムネイル画像である。すなわち、名刺登録者が退職などによって名刺情報を開示する必要がなくなった際に、サーバー３から登録を削除すれば、ユーザーは、その名刺登録者の名刺情報が利用できなくなったことを知ることができる。
【０１１４】
このようなサーバー３から削除された名刺のサムネイル画像Ｐ６は、ユーザーWebページに表示されないように設定することもできるが、他の画像とは異なる表示形態で表示させ続けることで、ユーザーは名刺情報が無効であることを容易に確認することができる。
【０１１５】
次に、図１４を参照しながら、名刺登録者が利用する名刺情報更新サイトについて説明する。
【０１１６】
この名刺情報更新サイトには、配布側パソコン７から名刺登録ＩＤとパスワードを入力してアクセスする。
【０１１７】
この名刺情報更新サイトのWebページには、表題部Ｗ１に名刺登録ＩＤが表示され、中央左側の画像表示部Ｗ２にサムネイル画像のレイアウトが表示され、右側の表部Ｗ３には名刺情報の詳細データが列記されている。この表部Ｗ３の右列の記載を修正すると、名刺情報が更新され、画像表示部Ｗ２の表示も自動的に更新される。
【０１１８】
また、ＰＣ転送回数表示部Ｗ４には、この名刺登録者の名刺８に関して、カウント手段３９の送信数カウント手段でカウントされた、サーバー３からPCメールアドレスに送信された回数が表示される。
【０１１９】
さらに、アクセス回数表示部Ｗ５には、この名刺登録者の配布側Webページに、パソコン６に送信されたメールのURL情報をクリックしてアクセスされた回数が、カウント手段３９のアクセス数カウント手段でカウントされて表示される。
【０１２０】
このＰＣ転送回数は、この名刺情報提供システムＳの普及度合を表すもので、例えば１００人に名刺を配ってＰＣ転送回数が３５回になれば、少なくとも１００人中３５人はこの名刺情報提供システムＳの利用者（ユーザー）であるといえる。
【０１２１】
また、アクセス回数は、名刺８を配布した人の名刺情報に関心を持った人、又は実際にパソコン６でその名刺情報を管理しようとした人の数を示しているといえ、名刺８を配布したことによる効果を測ることができる。
【０１２２】
次に、この実施の形態の名刺情報提供システムＳの作用について説明する。
【０１２３】
このように構成された名刺情報提供システムＳでは、名刺８に印刷された２次元コード８１が携帯電話１で読み込まれ、サーバー３にアクセスされると、携帯電話１の機体番号又は携帯メールアドレスと関連付けられたPCメールアドレスに、名刺情報が掲載されたWebページのURL情報が送信される。
【０１２４】
このため、ユーザーは、名刺情報を管理する専用のソフトウェアを携帯電話１やパソコン６に備えていなくても、簡単な操作で名刺８を配布した人の属性情報である名刺情報を、パソコン６で閲覧し、管理することができる。
【０１２５】
また、２次元コード８１に記録させる情報が、サーバー３のURL情報又はメールアドレス情報などであれば、携帯電話１のOSの違いによる制約を受けず、さらに、パソコン６のOSにも左右されないシステムであれば、機種やバージョンによって使用できなくなる場合がほとんどないので利用者の制限が少なく、急速に普及する可能性が高い。
【０１２６】
さらに、配布側及びユーザー側の利用者が増えれば、大部分の名刺管理をこの名刺情報提供システムＳでおこなえるようになったり、管理を一元化できるようになったりするので、ますます使い勝手の良いシステムにすることができる。
【０１２７】
また、名刺８を配布する側の配布側Webページを、サーバー３の配布側Webページ手段３３で制御することで、ユーザーが閲覧する配布側Webページの書式を統一してユーザーの見やすい表示にすることができる。また、サーバー３が管理するWebページであれば、アクセス数を管理してその利用頻度の情報を名刺登録者に提供することもできる。
【０１２８】
さらに、ユーザー専用のユーザーWebページを制御するユーザーWebページ手段３４を備えることで、ユーザーが複数の名刺を管理することが容易にできるようになる。
【０１２９】
すなわち、特別な名刺管理用のソフトウェアをパソコン６にインストールしなくても、複数の名刺８，・・・の名刺情報を容易に管理することができる。
【０１３０】
また、配布側Webページ手段３３に、名刺情報に基づいたサムネイル画像を生成して表示させるサムネイル画像部を設けることで、ユーザーは通常交換される紙の名刺と同様のイメージで複数の名刺情報を閲覧したり、管理したりすることができる。
【０１３１】
さらに、ユーザーWebページ手段３４において、一旦読み込まれた後に配布側で更新されたり削除されたりした配布側Webページのサムネイル画像を、更新したり他の有効なサムネイル画像の表示とは異なる表示形態で表示させたりすることで、最新の名刺情報の利用が可能になるうえに、無効になった名刺情報を誤って利用してしまうような事態の発生を防ぐことができる。また、無効となった名刺情報であっても、名刺を交換した記録として残すことができる。
【０１３２】
また、配布側WebページのURL情報をメール送信した回数をカウントする送信数カウント手段や、メール送信された配布側WebページのURL情報からアクセスされた回数をカウントするアクセス数カウント手段を設けることで、名刺情報提供システムＳの利用頻度を容易に把握することができる。
【０１３３】
さらに、２次元コード８１がＱＲコードであれば、アルファベットと数字だけなら4,296文字、数字だけなら7,089文字という多くの情報を２次元コードに記録することができる。
【０１３４】
以上、図面を参照して、本発明の最良の実施の形態を詳述してきたが、具体的な構成は、この実施の形態に限らず、本発明の要旨を逸脱しない程度の設計的変更は、本発明に含まれる。
【０１３５】
例えば、前記実施の形態では、携帯通信端末として携帯電話１を使用したが、これに限定されるものではなく、２次元コード８１を読み取る読み取り手段が内蔵されており、サーバー３と通信できるものであれば、例えばＰＤＡ(Personal Digital Assistance)などを使用することもできる。
【０１３６】
また、前記実施の形態では、配布側Webページはサーバー３の配布側Webページ手段３３で制御されたが、これに限定されるものではなく、配布側は独自に開設したWebページのURL情報を名刺特定データ４２に登録してもよい。
【０１３７】
さらに、前記実施の形態では、ユーザーWebページに複数の名刺情報をサムネイル画像の一覧形式で表示させたが、これに限定されるものではなく、行と列から構成される表形式によって複数の名刺情報を表示させるなどしてもよい。
【図面の簡単な説明】
【０１３８】
【図１】本発明の最良の実施の形態の名刺情報提供システムに関連する全体の構成を説明する説明図である。
【図２】サーバーとデータベースの構成を説明するブロック図である。
【図３】ユーザー登録データのデータ形式を説明する説明図である。
【図４】名刺特定データのデータ形式を説明する説明図である。
【図５】名刺の配布側の名刺情報の登録手順を説明するフローチャートである。
【図６】（Ａ）は名刺情報の入力例を示す説明図、（Ｂ）は名刺のサムネイル画像用の表示例を示す説明図である。
【図７】名刺を受け取った側の操作の流れの一例を説明するフローチャートである。
【図８】サーバーに接続する際の携帯電話のモニタ画面の表示例を示す図である。
【図９】（Ａ）−（Ｅ）はサーバーに携帯電話の機体番号及びPCメールアドレスを送信する際の携帯電話のモニタ画面の表示例を示す図である。
【図１０】名刺を受け取った側の操作の流れの他の例を説明するフローチャートである。
【図１１】サーバーにメール送信する際の携帯電話のモニタ画面の表示例を示す図である。
【図１２】パソコンに送信されるメールを例示する説明図である。
【図１３】ブックマークサイトのユーザーWebページの表示を説明する図である。
【図１４】名刺情報更新サイトの表示を説明する図である。
【符号の説明】
【０１３９】
Ｓ            名刺情報提供システム
１            携帯電話（携帯通信端末）
３            サーバー
３１          識別コード抽出手段
３２          検索手段
３３          配布側Webページ手段
３４          ユーザーWebページ手段
３５          記憶手段
３６          メール送受信手段（メール送信手段）
３７          通信手段
３８          PCメールアドレス登録手段
３９          カウント手段（送信数カウント手段、アクセス数カウント手段）
４            データベース
４１          ユーザー登録データ
４２          名刺特定データ
５            通信ネットワーク
６            パソコン（パーソナルコンピュータ）
８            名刺
８１          ２次元コード
Ｐ１−Ｐ８    サムネイル画像
【図１】
2009064371.tif 000003
【図２】
2009064371.tif 000004
【図３】
2009064371.tif 000005
【図４】
2009064371.tif 000006
【図５】
2009064371.tif 000007
【図６】
2009064371.tif 000008
【図７】
2009064371.tif 000009
【図８】
2009064371.tif 000010
【図９】
2009064371.tif 000011
【図１０】
2009064371.tif 000012
【図１１】
2009064371.tif 000013
【図１２】
2009064371.tif 000014
【図１３】
2009064371.tif 000015
【図１４】
2009064371.tif 000016